(57)【要約】【課題】身体に対して直接又は間接的に装着、又は接触させることにより、健康の増進が図られる健康器具を提供することが課題である。【解決手段】シリコンゴム等の樹脂に、マイナスイオンを発生する鉱物を混入してシート状に成形し、該シート状物に多数の通気孔１ａ・１ａ・・・を設けた健康器具１を、身体に直接又は間接的に装着し、又は接触させる。具体的に、このマイナスイオンを発生する鉱物は、ゲルマニウム、セレニウム、トルマリン石、貴陽石、麦飯石、又は健緑石の何れか１種類の鉱物、あるいは２種類以上の鉱物である。【選択図】　図１
2004008389.tif 000002
【特許請求の範囲】
【請求項１】
樹脂に、マイナスイオンが発生する鉱物を混入してシート状に成形し、該シート状物に多数の通気孔を設けたことを特徴とする健康器具。
【請求項２】
樹脂に、マイナスイオンを発生する鉱物を混入してブロック状に成形し、該ブロック状物に多数の通気孔を設けたことを特徴とする健康器具。
【請求項３】
樹脂に、マイナスイオンが発生する鉱物を混入してリング状に成形し、身体の一部に着脱自在に装着することを特徴とする健康器具。
【請求項４】
樹脂に、マイナスイオンが発生する鉱物を混入してビーズ状に成形し、該ビーズ状物を糸条物を介して多数連ねて円環状に構成し、身体の一部に着脱自在に装着することを特徴とする健康器具。
【請求項５】
樹脂本体を、正面視、「門」型のブロックに成形して、その内側面にマイナスイオンを発生する鉱物片を貼設して構成し、メガネフレームの上方側から着脱自在に装着することを特徴とする健康器具。
【請求項６】
前記マイナスイオンを発生する鉱物は、ゲルマニウム、セレニウム、トルマリン石、貴陽石、麦飯石又は健緑石の何れか１種類の鉱物、あるいは２種類以上の鉱物であることを特徴とする請求項１から請求項５のうち何れか一項に記載の健康器具。
【発明の詳細な説明】
【０００１】
【産業上の利用分野】
本発明は、ゲルマニウム等マイナスイオンを発生する鉱石を備えた健康器具に関する。
【０００２】
【従来の技術】
従来より、磁石を皮膚に密着させると血行の促進に効果があることが知られている。この特性を利用して、粒状の磁石を絆創膏で肩や首等に貼り付け、凝りを緩和させたり、また、最近では、寝具や、衣類、装身具等に直接磁石を埋め込んだりして使用する発明も開示されている。
【０００３】
例えば、特開平０８−１０３３４６号に掲載されて従来技術では、フェライト粒子７を含有させた寝具用ウレタンマット１が開示されている。同号公報の図２に示すように、この寝具用ウレタンマット１は、遠赤外線放射特性を有する粒子を含有させた硬質または、半硬質の粒状のポリウレタン片としての硬質ポリウレタンフォーム片２と、その硬質ポリウレタンフォーム片２を含む第一のポリウレタンフォーム層としての第一再生ポリウレタン３と、該硬質ポリウレタンフォーム片２を含まない第二のポリウレタンフォーム層としての第二再生ポリウレタン５と、側地４とにより構成され、該第一再生ポリウレタン３と、該第二再生ポリウレタン５とを重ねて側地４に挿入している。前記遠赤外線放射特性を有する粒子としては、具体的に、粘土に酸化チタン、酸化ジルコニウム、酸化スズ等の金属酸化物を添加して焼結させたものが挙げられる。そして、前記第一再生ポリウレタン３にはフェライト粒子７を含有させており、このような構成で、フェライト粒子７から発せられる磁気により、使用者の血行が促進されるとともに、ポリウレタン片２に含有された遠赤外線放射特性を有する粒子から放射される電磁波によって人体が保温されるのである。
【０００４】
また、特開２００２−７８５１６号に掲載されて従来技術では、可撓性プラスチック磁石を用いたリング状のアクセサリーが開示されている。同号公報の図１（ａ）に示すように、このリング状アクセサリー１Ａは、線状に形成され且つその軸方向に直交する方向に着磁してある可撓性プラスチック磁石体１０の外周面に着色被膜１１を形成し、当該可撓性プラスチック磁石体１０を軸方向に異なる部分同士で磁気的に吸着させてリング状に形成してなる。この可撓性プラスチック磁石体１０としては、ＳｍＦｅＮ系の磁性粉末と、バインダーとしてＰＢＴエラストマーとを用い、該磁性粉末と該ＰＢＴエラストマーに親和性を持たせるとともに射出成形性及び機械的強度を向上させるカップリング材を添加してなるものである。このような構成で、可撓性プラスチック磁石体１０から発せられる磁気により、使用者の血行が促進されるのである。
【０００５】
そして、特開平７−１３６２８８号に掲載されて従来技術では、複数個の装飾体が円環状に連結された磁気ネックレスが開示されている。同号公報の図１に示すように、この磁気ネックレスは、複数個の装飾体１ａ、１ｂを連結リング２を介して一連に連結したもので、一端部の装飾体１ａには、大径の接続リング３が、他端部の装飾体１ａには前記接続リング３に係脱可能な係止金具４がそれぞれ取り付けられている。前記係止金具４は、開放部を有するリング状の中空管５と、この中空管５内に摺動自由に係入された軸状のシャッタ６とから成り、このシャッタ６を図示しないバネにより前記開放部を閉塞する方向へ常時付勢する。シャッタ６は、摘み７の操作により中空管５内に退避して、前記開放部を開放する。複数個の装飾体１ａ、１ｂのうち、２個置きに並べられた装飾体１ａは、複数のカット面を有する多面体に形成されるとともに、連結方向と直交する側にＮ、Ｓの各磁極が生ずるよう着磁された、表面に金メッキが施された永久磁石により形成される。また、この装飾体１ａ、１ａ間に２個並べられた装飾体１ｂは、表面に金メッキが施されたアルミニウムなどの非磁性体により形成されている。このような構成で、装飾体１ａから発せられる磁気により、使用者の血行が促進され、磁気治療効果が向上する。
このように、磁石を用いて健康増進を図る健康器具が数多く開示されている。
【０００６】
【発明が解決しようとする課題】
ところで、近年、医療専門家の間では、ゲルマニウム（特に無機ゲルマニウム）からは恒常的にマイナスイオンが発生し、このマイナスイオンが健康増進に効果があることが報告されている。人間の体には生体電流という極微弱な電気が流れており、このバランスが崩れてプラスイオンが多くなると、肩・首・腰の凝りや膝などの痛みを引き起こすことが知られている。このプラスイオンをゲルマニウムから発生するマイナスイオンによって相殺し、生体電流を正常に戻すことで、凝りや痛みが解消されるのである。このようにマイナスイオンは、磁気とはまた異なる特性があり、近年、このマイナスイオンによる健康増進への効果に関心が高まっている。
そこで、本発明では、ゲルマニウムの他、セレニウムや、トルマリン石、貴陽石、麦飯石、健緑石等、恒常的にマイナスイオンを発生する鉱物の特性を利用して、健康増進を図る健康器具を提供することが課題である。
【０００７】
【課題を解決するための手段】
本発明の解決しようとする課題は以上の如くであり、次にこの課題を解決する健康器具を説明する。
まず、請求項１に記載のように、樹脂に、マイナスイオンを発生する鉱物を混入してシート状に成形し、該シート状物に多数の通気孔を設ける。
【０００８】
また、請求項２に記載のように、樹脂に、マイナスイオンが発生する鉱物を混入してブロック状に成形し、該ブロック状物に多数の通気孔を設ける。
【０００９】
そして、請求項３に記載のように、樹脂に、マイナスイオンが発生する鉱物を混入してリング状に成形し、身体の一部に着脱自在に装着する。
【００１０】
さらに、請求項４に記載のように、樹脂に、マイナスイオンが発生する鉱物を混入してビーズ状に成形し、該ビーズ状物を糸条物を介して多数連ねて円環状に構成し、身体の一部に着脱自在に装着する。
【００１１】
そうして、請求項５に記載のように、樹脂本体を、正面視、「門」型のブロックに成形して、その内側面にマイナスイオンを発生する鉱物片を貼設して構成し、メガネフレームの上方側から着脱自在に装着する。
【００１２】
また、請求項６に記載のように、前記マイナスイオンを発生する鉱物は、ゲルマニウム、セレニウム、トルマリン石、貴陽石、麦飯石、又は健緑石の何れか１種類の鉱物、あるいは２種類以上の鉱物である。
【００１３】
【発明の実施の形態】
これより、本発明の実施の一形態を、図面を参照しながら説明する。
図１はシート状健康器具１の斜視図、図２は布状物１２を貼設したシート状健康器具１の正面図、図３はシート状健康器具１が内設されるタオルの正面断面図、図４はシート状健康器具１が内設される靴の中敷１４の平面図、図５はシート状健康器具１が裏地に貼設される服１５の正面図、図６はシート状健康器具１が貼設されるヘアバンド１６の斜視図、図７はシート状健康器具１が貼設されるリストバンド１７の斜視図、図８はシート状の健康器具１が中央に貼設されたシート状物１８の斜視図、図９は同じく正面断面図、図１０はブロック状の健康器具であるマットレス２と枕３の平面図、図１１はリング状の健康器具であるブレスレット４の平面図、図１２は磁石片４１・４１・・・を貼設したブレスレット４の平面図、図１３はビーズ状物６・６・・・を連ねて構成されるネックレス５の平面図、図１４は健康器具９・９を取り付けたメガネ８の斜視図、図１５は健康器具９の内側面図、図１６は同じく正面図、図１７は本発明の健康器具１の一つを被験者の肩に貼着したときの試験の様子を示す図、図１８は被験者の左肩と右肩の温度変化を示すグラフである。
【００１４】
まず、図１に示すように、シリコンゴム等の樹脂に、ゲルマニウム等マイナスイオンを発生する鉱物を混入してシート状に成形し、該シート状物に多数の通気孔１ａ・１ａ・・・を設けた健康器具１について説明する。この健康器具１は、例えば、フロアマットやカーペット、服の裏地等に用いられる。
【００１５】
図２は、このシート状の健康器具１の表面又は裏面の少なくとも一面に布状物１２を貼設した、フロアマットやカーペット等である。
図３は、上下のタオル地１３・１３の間に、前記シート状の健康器具１を挿入して縫成した、３層構造のタオルやタオルケット等である。図４は前記シート状の健康器具１を、靴の中敷１４の中に設けた様子を示す。また、図５は前記シート状の健康器具１を、服１５の裏地に貼設した様子を示し、図６は、前記シート状の健康器具１をヘアバンド１６の内周面に貼設した様子、図７は、前記シート状の健康器具１をリストバンド１７の内周面に貼設した様子である。符号２０はリストバンド１７の一端部と他端部とを着脱自在に接着する接着部である。そして、図８及び図９は、前記シート状の健康器具１を、ひとまわり大きなシート状物１８の裏面中央に貼設し、該シート状物１８の裏面における外縁部には粘着物を周着して、身体に貼るように構成したものである。このシート状物１８の表面には、絵や模様等デザインを施し、視覚を通じて美観を起こさせるようにしてもよい。
【００１６】
この他にも、ゲルマニウム等マイナスイオンを発生する鉱物を混入してシート状に成形した健康器具１であって、図６に示すヘアトバンド１６、又は図７に示すリストバンド１７の如き形状の、足の指や手の指に装着する健康器具１等もあり、このシリコンゴム等の樹脂に、ゲルマニウム等マイナスイオンを発生する鉱物を混入してシート状に成形した健康器具１から成る製品は、上記記載のものに限定はせず、これら以外のものであってもよい。また、シート状健康器具１自体の形状や、該健康器具１に設ける通気孔１ａ・１ａ・・・の配置数や配置位置についても特に限定せず、また、通気孔１ａ・１ａ・・・を設けない構成であっても構わない。
【００１７】
次に、シリコンゴム等の樹脂に、ゲルマニウム等マイナスイオンを発生する鉱物を混入してブロック状に成形した健康器具について説明する。この健康器具は、例えば、図１０に示すように、寝具用のマットレス２や、枕３として構成される。これらの健康器具には通気孔が設けられていないが、通気孔を設ける構成であってもよい。
なお、このシリコンゴム等の樹脂に、ゲルマニウム等マイナスイオンを発生する鉱物を混入してブロック状に成形した健康器具は、マットレス２や枕３以外にも、座布団やソファー等であってもよく、その製品については限定しない。
【００１８】
次に、シリコンゴム等の樹脂に、ゲルマニウム等マイナスイオンを発生する鉱物を混入してリング状に成形した健康器具について説明する。この健康器具は、例えば、図１１に示すように、ブレスレット４等として構成され、手首に装着される。このようにリング状の健康器具は、主にアクセサリーとして構成され、身体の一部に着脱自在に装着される。
【００１９】
また、ブレスレットのリング部分を金属等で成形して、身体に触れる側の、該リング部分の内周部に、ゲルマニウム等マイナスイオンを発生する鉱物を混入したシリコンゴム等の樹脂を貼設した構成であってもよい。
【００２０】
あるいは、図１２に示すように、シリコンゴム等の樹脂に、ゲルマニウム等マイナスイオンを発生する鉱物を混入してリング状に成形したブレスレッド４のリング部分の内周部、すなわち、身体に触れる側に、磁石片４１・４１・・・を貼設し、該磁石片４１・４１・・・の表面（身体に触れる面）に金メッキ４２・４２・・・を施して、視覚を通じて美観を起こさせるように構成する。図１２では、磁石片４１・４１・・・はリングの中心から、互いに９０°間隔を開けて４つ配置しているが、その配置数は特に限定するものではなく、また、磁石片４１・４１・・・の表面に形成した金属皮膜は金に限るものではなく、銀やプラチナ等であってもよい。
この構成では、ゲルマニウム等マイナスイオンを発生する鉱物に加えて、磁石片４１・４１・・・も効果的に作用し、血行が促進されて、健康の増進が図られる。
【００２１】
なお、このシリコンゴム等の樹脂に、ゲルマニウム等マイナスイオンを発生する鉱物を混入してリング状に成形した健康器具は、ブレスレット４に限らず、特にその製品については限定しない。
【００２２】
次に、シリコンゴム等の樹脂に、ゲルマニウム等マイナスイオンを発生する鉱物を混入してビーズ状に成形し、該ビーズ状物を糸条物を介して多数連ねて円環状に構成した健康器具について説明する。この健康器具は、例えば、図１３に示すように、ネックレス５等として構成され、首に掛けられる。符号６は糸通し孔のついたビーズ状物であり、該ビーズ状物６・６・・・を糸条物７を介して多数連ねて、円環状のネックレス５が構成されている。このように円環状に構成された健康器具は、主にアクセサリーとして構成され、身体の一部に着脱自在に装着される。
なお、このシリコンゴム等の樹脂に、ゲルマニウム等マイナスイオンを発生する鉱物を混入してビーズ状に成形し、該ビーズ状物を糸条物を介して多数連ねて円環状に構成した健康器具は、ネックレス５に限らず、指輪、イヤリング、ヘアバンド、ブローチ等、特にその製品については限定しない。
【００２３】
以上のような構成で、これらの健康器具を備えた製品を、身体に直接又は間接的に装着し、又は接触させることによって、ゲルマニウム等の鉱物からのマイナスイオンが人体に効果的に作用し、これによりプラスイオンが過剰となる生体電流のバランスが整えられて、健康増進が図られる。
【００２４】
次に、シリコンゴム等の樹脂本体を、正面視、「門」型のブロックに成形して、その内側面にゲルマニウム等マイナスイオンを発生する鉱物片を貼設して構成し、メガネフレーム８ａの上方側から着脱自在に装着する健康器具９について説明する。
図１４に示すように、この健康器具９・９はメガネフレーム８ａ・８ａにおける適宜位置に着脱自在に取り付けられ、メガネ８を掛けたときに、該健康器具９・９がこめかみ部等に当接又は近接するように構成されている。なお、この健康器具９・９はメガネフレーム８ａ・８ａだけでなく、レンズフレーム８ｂ・８ｂに取り付けて目の上部の眉付近にあてがうようにしてもよく、特に取付位置については限定しない。
【００２５】
前記健康器具９の本体１０はシリコンゴム等の弾性のある樹脂によりブロック状に形成され、図１５に示すように、該本体１０の側面には長手方向に少なくとも１つ以上のゲルマニウム等マイナスイオンを発生する鉱物片１１・１１・・・が、焼き付け、又は接着剤により取り付けられている。
【００２６】
図１６に示すように、前記本体１０は、正面視では、その中央が所定深さまで切り欠かれて、「門」型に形成され、この切欠部１０ａの内側の垂下部１０ｂに前記鉱物片１１・１１・１１が取り付けられている。そして、該垂下部１０ｂには、その外側面（対向面）下端に沿って突起部１０ｄが設けられ、また、内側面下端に沿って凸部１０ｅが設けられている。該凸部１０ｅの内端は鉱物片１１・１１・１１の内端よりも若干内方向へ突出させている。この内側の垂下部１０ｂは、その外側の垂下部１０ｃよりも薄肉に形成されて弾性変形が容易であるのに対し、該外側の垂下部１０ｃは変形し難い構成としている。
【００２７】
以上のように構成された健康器具９をメガネフレーム８ａに取り付ける際には、健康器具９の垂下部１０ｂを、メガネフレーム８ａ・８ａの幅方向に対する内方向へ弾性変形させながら、その切欠部１０ａをメガネフレーム８ａに嵌め込む。このとき、該垂下部１０ｂは外方向へ復元しようとするので、メガネフレーム８ａは両垂下部１０ｂ・１０ｃにより所定の力で挟持されて位置がズレないようにするとともに、内側の垂下部１０ｂ下端の突起部１０ｄがストッパとなって、健康器具９はメガネフレーム８ａから抜け落ちないようになっている。
【００２８】
このようにして健康器具９・９を左右両方のメガネフレーム８ａ・８ａにスナップフィットで取り付けて、メガネ８を掛け、該健康器具９・９をメガネフレーム８ａ・８ａに沿って前後スライドさせながら、こめかみ部に対向する位置、または、装着時に最も気持ちが良くなる位置や最もフィットする位置にセットする。
【００２９】
メガネ１を掛けた状態では、内側の垂下部１０ｂの凸部１０ｅが顔の皮膚に押されて、該垂下部１０ｂはメガネフレーム８ａ・８ａの幅方向に対する外方向へ変形し、該垂下部１０ｂ外側面下端の突起部１０ｄが外側の垂下部１０ｃに接近、又は接触して、健康器具９はメガネフレーム８ａより抜け落ち難くなる。また、人によっては、鉱物片１１・１１・１１もこめかみ部に当たり、これによって垂下部１０ｂは外方向へ押されて、両垂下部１０ｂ・１０ｃによってメガネフレーム８ａはより強く挟持されて、健康器具９はさらに抜け落ち難くなる。
【００３０】
以上のような構成で、メガネ１のメガネフレーム８ａ・８ａに健康器具９・９をスナップフィットで簡単に装着することができ、鉱物片１１・１１・１１からのマイナスイオンがこめかみ部付近のプラスイオンに作用し、プラスイオンが過剰となる生体電流のバランスが整えられて、健康増進が図られる。
【００３１】
また、この健康器具９・９は視力補強用のメガネ８だけではなく、サングラスや伊達メガネや防護メガネ等の視力矯正用のレンズが入っていないメガネ２にも装着することができるので、目の悪くない人も、ドライブやパソコンでの作業等、目に神経を集中させる場合に、該健康器具９・９をサングラスや伊達メガネに取り付けるとよい。
【００３２】
また、ゲルマニウム等マイナスイオンを発生する鉱物を粉砕し、パック材に混入したものを、全身又は身体の一部に塗るなどして、健康の増進を図るなどとしてもよい。
【００３３】
以上、幾つかの実施例を示したが、これらの実施例の中で、マイナスイオンを発生する鉱物として、ゲルマニウムの替わりに、セレニウム、トルマリン石、貴陽石、麦飯石、又は健緑石等を用いてもよい。勿論、シリコン等の樹脂に混入するマイナスイオンを発生する鉱物、又はシリコン等の樹脂に取り付けるマイナスイオンを発生する鉱物は、ゲルマニウム、セレニウム、トルマリン石、貴陽石、麦飯石、又は健緑石の何れか１種類の鉱物に限らず、２種類以上の鉱物であってもよい。
【００３４】
次に、本発明の健康器具１の一つを被験者の肩に貼着したときの試験結果について考察する。
図１７（ａ）は被験者の上半身を示し、同図の２点鎖線で示すように、該被験者の左肩には、図８に示す如き形状の、ゲルマニウムを混入したシート状のシリコンゴムを貼り、一方、右肩には、単なるシート状のシリコンゴムを貼って、両肩の温度変化の比較試験を行った。
この両肩の温度変化の測定は、サーモグラフィ（ＮＥＯ　ＴＨＥＲＭＯ　ＴＶＳ−６００）を用いて行い、該サーモグラフィを両肩から所定距離離して、肩部からの赤外線放射エネルギー強度を測定した結果、図１７（ｂ）に示すように、試験開始直後、即座に左肩の温度が上昇し、その数分後には、同図（ｃ）に示すように、左肩一円の温度が上昇した。図中のドットは周囲よりも温度の高い部分を示し、時間の経過に伴う両肩の温度の測定結果を下記の表に示す。
【００３５】
【表１】
2004008389.tif 000003
【００３６】
図１８は、上記表を基に、左肩と右肩の温度変化をグラフで表したものであり、このグラフからもわかるように、試験開始直後から左肩の方が右肩よりも温度が高くなっている。前述の如く、左肩にはゲルマニウムを混入させたシート状物が貼られており、該ゲルマニウムから放射されるマイナスイオンによって、生体電流のバランスが整えられ、その結果、血行が促進されて、その周囲の温度が短時間に上昇したものと思われる。なお、右肩の温度も左肩の温度上昇に連れて上昇しているが、これは左肩の体温が右肩へ伝播したものと思われる。
また、試験後、被験者からは、肩凝りが緩和したとの報告があり、このことからも、健康増進に効果があることが窺える。
以上に、本発明に係る健康器具１の一つの試験結果を示したが、このように本発明に係る健康器具１は、マイナスイオンの作用により、健康増進が図られるところに特徴がある。
【００３７】
【発明の効果】
本発明は、以上のように健康器具を構成したので、次に示すような効果を奏する。
まず、請求項１に記載のように、樹脂に、マイナスイオンを発生する鉱物を混入してシート状に成形し、該シート状物に多数の通気孔を設けた健康器具を、身体に直接又は間接的に装着し、又は接触させることによって、該鉱物からのマイナスイオンが人体に効果的に作用し、これによりプラスイオンが過剰となる生体電流のバランスが整えられて、健康増進が図られる。また、この健康器具は通気性が良く、効果的に湿気が放散される。
【００３８】
また、請求項２に記載のように、樹脂に、マイナスイオンが発生する鉱物を混入してブロック状に成形し、該ブロック状物に多数の通気孔を設けた健康器具を、身体に直接又は間接的に装着し、又は接触させることによって、該鉱物からのマイナスイオンが人体に効果的に作用し、これによりプラスイオンが過剰となる生体電流のバランスが整えられて、健康増進が図られる。また、この健康器具は通気性が良く、効果的に湿気が放散される。
【００３９】
そして、請求項３に記載のように、樹脂に、マイナスイオンが発生する鉱物を混入してリング状に成形した健康器具を、腕等の身体の一部に直接又は間接的に装着することによって、該鉱物からのマイナスイオンが人体に効果的に作用し、これによりプラスイオンが過剰となる生体電流のバランスが整えられて、健康増進が図られる。
【００４０】
さらに、請求項４に記載のように、樹脂に、マイナスイオンが発生する鉱物を混入してビーズ状に成形し、該ビーズ状物を糸条物を介して多数連ねて円環状に構成した健康器具を、首等の身体の一部に直接又は間接的に装着することによって、該鉱物からのマイナスイオンが人体に効果的に作用し、これによりプラスイオンが過剰となる生体電流のバランスが整えられて、健康増進が図られる。
【００４１】
そうして、請求項５に記載のように、樹脂本体を、正面視、「門」型のブロックに成形して、その内側面にマイナスイオンを発生する鉱物片を貼設して構成した健康器具を、メガネフレームに上方側から装着することによって、該鉱物からのマイナスイオンが人体に効果的に作用し、これによりプラスイオンが過剰となる生体電流のバランスが整えられて、健康増進が図られる。
【００４２】
また、請求項６に記載のように、前記マイナスイオンを発生する鉱物は、ゲルマニウム、セレニウム、トルマリン石、貴陽石、麦飯石、又は健緑石の何れか１種類の鉱物、あるいは２種類以上の鉱物であり、これらの鉱物からのマイナスイオンが人体に効果的に作用し、これによりプラスイオンが過剰となる生体電流のバランスが整えられて、健康増進が図られる。
【図面の簡単な説明】
【図１】シート状健康器具１の斜視図。
【図２】布状物１２を貼設したシート状健康器具１の正面図。
【図３】シート状健康器具１が内設されるタオルの正面断面図。
【図４】シート状健康器具１が内設される靴の中敷１４の平面図。
【図５】シート状健康器具１が裏地に貼設される服１５の正面図。
【図６】シート状健康器具１が貼設されるヘアバンド１６の斜視図
【図７】シート状健康器具１が貼設されるリストバンド１７の斜視図
【図８】シート状の健康器具１が中央に貼設されたシート状物１８の斜視図。
【図９】同じく正面断面図。
【図１０】ブロック状の健康器具であるマットレス２と枕３の平面図。
【図１１】リング状の健康器具であるブレスレット４の平面図。
【図１２】磁石片４１・４１・・・を貼設したブレスレット４の平面図、
【図１３】ビーズ状物６・６・・・を連ねて構成されるネックレス５の平面図。
【図１４】健康器具９・９を取り付けたメガネ８の斜視図。
【図１５】健康器具９の内側面図。
【図１６】同じく正面図。
【図１７】本発明の健康器具１の一つを被験者の肩に貼着したときの試験の様子を示す図。
【図１８】被験者の左肩と右肩の温度変化を示すグラフ。
【符号の説明】
１　　健康器具
１ａ　通気孔
２　　マットレス
３　　枕
４　　ブレスレット
５　　ネックレス
６　　シート状物
７　　糸条物
８　　メガネ
８ａ　メガネフレーム
９　　健康器具
１１　　鉱物片
【図１】
2004008389.tif 000004
【図２】
2004008389.tif 000005
【図３】
2004008389.tif 000006
【図４】
2004008389.tif 000007
【図５】
2004008389.tif 000008
【図６】
2004008389.tif 000009
【図７】
2004008389.tif 000010
【図８】
2004008389.tif 000011
【図９】
2004008389.tif 000012
【図１０】
2004008389.tif 000013
【図１１】
2004008389.tif 000014
【図１２】
2004008389.tif 000015
【図１３】
2004008389.tif 000016
【図１４】
2004008389.tif 000017
【図１５】
2004008389.tif 000018
【図１６】
2004008389.tif 000019
【図１７】
2004008389.tif 000020
【図１８】
2004008389.tif 000021